(57)【要約】【課題】省スペース化を図ることができかつ多分岐が容易な分岐ユニット及びバスダクトシステムを提供する。【解決手段】分岐ユニット３０は、バスダクト２０のバスダクト導体２２と電気的に接続される導体３１と、導体３１を収容するハウジング４０と、ハウジング４０に設けられて複数の遮断器１０を取付可能な取付部４７と、ハウジング４０に開口してハウジング４０内の導体３１を露出させる開口部４６を有し、取付部４７に遮断器１０を取り付けることにより開口部４６を通して遮断器１０を導体３１と電気的に接続する構成を有する。【選択図】図１
2008141909.tif 000002
【特許請求の範囲】
【請求項１】
バスダクトのバスダクト導体に電気的に接続される導体と、
該導体を収容するハウジングと、を有し、
該ハウジングに、前記ハウジング内の導体を露出させ、前記導体に沿って延在する開口部を形成し、
該開口部を通して複数の遮断器を前記導体に電気的に接続可能にする構成を有することを特徴とする分岐ユニット。
【請求項２】
前記導体は、複数の遮断器を並べて接続可能な長さを有する帯板形状を有し、
前記開口部は、前記導体の幅方向外側の端部に対向して前記導体に沿って延在する開口形状を有することを特徴とする請求項１に記載の分岐ユニット。
【請求項３】
前記ハウジングは、前記開口部を通して前記導体に電気的に接続された前記遮断器を取付可能な取付部を有することを特徴とする請求項１又は２に記載の分岐ユニット。
【請求項４】
前記取付部に取付可能であって、前記開口部のうち、前記遮断器によって閉塞されなかった部分を閉塞する閉塞板を有することを特徴とする請求項３に記載の分岐ユニット。
【請求項５】
前記取付部は、前記開口部の近傍位置で前記開口部の延在方向に所定間隔をおいて螺設された複数のネジ孔を有し、該ネジ孔の少なくとも一つに取付ネジを螺合することによって前記遮断器を取り付ける構成を有することを特徴とする請求項３又は４に記載の分岐ユニット。
【請求項６】
前記バスダクト導体の端部に電気的に接続される接続部を前記導体の長手方向両側の端部にそれぞれ有し、前記バスダクト同士を接続する接続ユニットを構成することを特徴とする請求項１〜５のいずれか１項に記載の分岐ユニット。
【請求項７】
前記バスダクト導体の端部に電気的に接続される接続部を前記導体の長手方向一方側の端部に有し、前記バスダクトの端部に取り付けられる端部ユニットを構成することを特徴とする請求項１〜５のいずれか１項に記載の分岐ユニット。
【請求項８】
請求項１〜７のいずれか１項に記載の分岐ユニットをバスダクトに接続して構成したことを特徴とするバスダクトシステム。
【発明の詳細な説明】
【技術分野】
【０００１】
本発明は、バスダクトに取り付けられ、多分岐を可能とする分岐ユニット、及びその分岐ユニットを有するバスダクトシステムに関する。
【背景技術】
【０００２】
従来より、バスダクトハウジング内に複数相のバスダクト導体が装填されたバスダクトを相互に接続して構成されたバスダクトシステムから分岐する方法が種々提案されている。
【０００３】
例えば、工場やビルのレイアウト等に応じてバスダクトの所望の箇所に予めプラグインホールを設けておき、そのプラグインホールを通してプラグイン器具を装着し、プラグイン器具の接続端子をバスダクト内のバスダクト導体に接続させることによって分岐する方法が提案されている（例えば、特許文献１を参照）。
【０００４】
また、バスダクト同士のバスダクト導体端部間に接続用導体を介在させて互いに接続する接続ユニットに予めプラグインホールを設けておき、そのプラグインホールを通してプラグイン器具を装着し、接続ユニットの接続用導体に接触させることによって分岐する方法が提案されている（例えば、特許文献２を参照）。
【０００５】
そして、プラグイン器具によって分岐された分岐先に、多数の遮断器を備えた分電盤を接続し、分電盤を介して多数の分岐を行う方法が提案されている（例えば、特許文献３を参照）。
【０００６】
【特許文献１】実公昭４３−３１４８９号公報
【特許文献２】特公昭４９−４４３８８号公報
【特許文献３】実開昭５８−１１８８２９号公報
【発明の開示】
【発明が解決しようとする課題】
【０００７】
しかしながら、上記特許文献１〜３に示される各分岐構造では、いずれもプラグイン器具を装着するためのプラグインホールをバスダクトに設けたり、プラグイン器具も別個に用意しなければならず、バスダクトの構成が複雑になると共に部品点数が増加し、コスト高になってしまうという問題があった。
【０００８】
また、上記特許文献３に示される方法により、プラグイン器具から多数の分岐を行う場合には、分電盤を用意しなければならず、分電盤の設置スペースの確保が必要で、その分だけ屋内空間が狭くなってしまうという問題があった。
【０００９】
本発明は、これらの問題に鑑み、従来技術の課題を解決すべくなされたものであり、その目的は、省スペース化を図ることができかつ多分岐が容易な分岐ユニット及びバスダクトシステムを提供することにある。
【課題を解決するための手段】
【００１０】
上記課題を解決する請求項１に記載の発明による分岐ユニットは、バスダクトのバスダクト導体に電気的に接続される導体と、導体を収容するハウジングと、を有し、ハウジングに、ハウジング内の導体を露出させ、導体に沿って延在する開口部を形成し、開口部を通して複数の遮断器を導体に電気的に接続可能にする構成を有することを特徴とする。
【００１１】
この発明によれば、複数の遮断器を、開口部が延在する方向に並べて開口部に通し、各遮断器をハウジング内の導体に電気的に接続することができる。
【００１２】
したがって、従来のようにバスダクトにプラグインホールを設けたり、プラグイン器具を別個に用意することなく、そして、分電盤を設けることなく、容易に多分岐を行うことができる。
【００１３】
したがって、バスダクト自体の構成を簡単なものとし、部品点数削減による低コスト化を図ることができる。また、従来は必要であった分電盤の設置スペースを省略することができ、その分のスペースの有効活用を図ることができる。
【００１４】
また、遮断器の数が、開口部を通して導体に接続可能な最大数よりも少ない場合には、遮断器の位置を開口部の延在方向に亘る範囲内で任意に設定し、また、位置変更することができる。したがって、状況に応じた位置に取り付けることができ、汎用性が高いという効果を有している。
【００１５】
請求項２に記載の発明は、請求項１に記載の分岐ユニットにおいて、導体は、複数の遮断器を並べて接続可能な長さを有する帯板形状を有し、開口部は、導体の幅方向外側の端部に対向して導体に沿って延在する開口形状を有することを特徴とする。
【００１６】
この発明は、請求項１に記載した分岐ユニットの構成の一例を具体的に示したものであり、これによれば、導体が複数の遮断器を並べて接続可能な長さを有する帯板形状を有しており、開口部が導体の幅方向外側の端部に対向して導体に沿って延在する開口形状を有している。したがって、遮断器を開口部に通し、導体の幅方向外側から導体の端部に接近させて、電気的に接続することができる。
【００１７】
請求項３に記載の発明は、請求項１又は２に記載の分岐ユニットにおいて、ハウジングが、開口部を通して導体に電気的に接続された遮断器を取付可能な取付部を有することを特徴とする。
【００１８】
この発明によれば、開口部を通して導体に電気的に接続された遮断器をハウジングに取り付けることができる。したがって、遮断器の導体への接続状態を確実に維持することができる。
【００１９】
請求項４に記載の発明は、請求項３に記載の分岐ユニットにおいて、取付部に取付可能であって、開口部のうち、遮断器によって閉塞されなかった部分を閉塞する閉塞板を有することを特徴とする。
【００２０】
この発明によれば、開口部のうち、遮断器によって閉塞されなかった部分を閉塞板によって閉塞することができるので、ハウジングの内部と外部との間を隔絶することができる。したがって、ハウジングの内部に塵埃等が侵入するのを抑制できる。また、導体をハウジングの内部に隔離することができ、導体への接触による感電等を防止して安全性を向上させることができる。
【００２１】
請求項５に記載の発明は、請求項３又は４に記載の分岐ユニットにおいて、取付部は、開口部の近傍位置で開口部の延在方向に所定間隔をおいて螺設された複数のネジ孔を有し、ネジ孔の少なくとも一つに取付ネジを螺合することによって遮断器を取り付ける構成を有することを特徴とする。
【００２２】
この発明は、取付部の構成の一例を具体的に示したものであり、これによれば、ネジ孔に取付ネジを螺合することによって遮断器をハウジングに容易に取り付けることができる。
【００２３】
請求項６に記載の発明は、請求項１〜５のいずれか１項に記載の分岐ユニットにおいて、バスダクト導体の端部に電気的に接続される接続部を導体の長手方向両側の端部にそれぞれ有し、バスダクト同士を接続する接続ユニットを構成することを特徴とする。
【００２４】
この発明によれば、導体の長手方向両側の端部にバスダクト導体の端部を電気的に接続して、バスダクト同士を接続することができる。したがって、複数個の遮断器を接続可能な分岐ユニットを、バスダクト同士を接続する接続ユニットとすることができ、バスダクトシステムの途中にて簡単に複数の分岐を行うことができる。
【００２５】
請求項７に記載の発明は、請求項１〜５のいずれか１項に記載の分岐ユニットにおいて、バスダクト導体の端部に電気的に接続される接続部を導体の長手方向一方側の端部に有し、バスダクトの端部に取り付けられる端部ユニットを構成することを特徴とする。
【００２６】
この発明によれば、導体の長手方向一方側の端部にバスダクト導体の端部を電気的に接続して、バスダクトの端部に取り付けることができる。したがって、複数個の遮断器を接続可能な分岐ユニットを、バスダクトの端部に取り付けられる端部ユニットとすることができ、バスダクトシステムの端部にて簡単に複数の分岐を行うことができる。
【００２７】
請求項８に記載の発明によるバスダクトシステムは、請求項１〜７のいずれか１項に記載の分岐ユニットをバスダクトに接続して構成したことを特徴とする。
【００２８】
請求項８に記載の発明は、請求項１〜６のいずれか１項に記載の分岐ユニットを有するバスダクトシステムであり、これによれば、例えば建物の各階を貫通するように布設されたバスダクトシステムにおいて、分岐ユニットを各階に配置することができる。したがって、多分岐を各階ごとに行うことができる。
【発明の効果】
【００２９】
本発明によれば、複数の遮断器を、開口部が延在する方向に並べて開口部に通し、各遮断器をハウジング内の導体に電気的に接続することができる。したがって、従来のようにバスダクトにプラグインホールを設けたり、プラグイン器具を別個に用意することなく、そして、分電盤を設けることなく、容易に多分岐を行うことができる。
【００３０】
したがって、バスダクト自体の構成を簡単なものとし、部品点数削減による低コスト化を図ることができる。また、従来は必要であった分電盤の設置スペースを省略することができ、その分のスペースの有効活用を図ることができる。
【００３１】
また、遮断器の数が、開口部を通して導体に接続可能な最大数よりも少ない場合には、遮断器の位置を開口部の延在方向に亘る範囲内で任意に設定し、また、位置変更することができる。したがって、状況に応じた位置に取り付けることができ、汎用性が高いという効果を有している。
【発明を実施するための最良の形態】
【００３２】
以下、本発明の実施の形態について図に基づいて詳細に説明する。
【００３３】
図１は、第１実施の形態に係わる分岐ユニット３０を有するバスダクトシステム１の一部を示す図であり、図１（ａ）は正面図、図１（ｂ）は側面図である。そして、図２は、図１の分岐ユニット３０に遮断器１０を接続した状態を示す図、図３は、分岐ユニット３０の正面図、図４は、分岐ユニット３０の側面図、図５は、図１のＩ−Ｉ線断面図、図６は、分岐ユニット３０とバスダクト２０との接続状態を説明する図、図７は、図２のＩＩ−ＩＩ線断面図である。
【００３４】
バスダクトシステム１は、電気幹線路を構成するものであり、図１及び図２に示すように、例えば複数階からなるオフィスビルや工場等のフロアＦの床貫通部Ｆ１を貫通して、バスダクト２０の所定の箇所が床支持装置５により支持されて垂直に布設される。
【００３５】
バスダクトシステム１は、分岐ユニット３０を間に介在させてバスダクト２０同士を接続することによって組み立てられる。分岐ユニット３０の近傍位置にはケーブルラック４が並設される。
【００３６】
分岐ユニット３０には、図２に示すように、複数の遮断器１０を取り付けることができ、複数の分岐を行うことができるように構成されている。遮断器１０に接続されたケーブル３は、ケーブルラック４に載置されて、例えば装置等の所望の負荷機器まで案内されて接続される。
【００３７】
バスダクト２０は、図６に示されるように、断面が扁平の矩形をなす長尺筒状のバスダクトハウジング２１内に、個々に絶縁被覆された帯板状の絶縁被覆導体を互いに密着して積層するように並設された３本のバスダクト導体２２が装填されて構成されている。
【００３８】
バスダクト導体２２の長手方向両端部は、バスダクトハウジング２１の長手方向両端部からそれぞれ突出し、３本のバスダクト導体２２のうち、中央に位置するバスダクト導体２２−２を間に挟んでその両側に位置するバスダクト導体２２−１、２２−３が離間する方向に折曲されて拡開され、各端部が互いに所定の間隙を開けた状態で平行に延在して、被覆層が除去されて露出している。
【００３９】
分岐ユニット３０は、図３及び図４に示すように、ハウジング４０内にバスダクト２０の長手方向と同方向に延在する複数相（本実施の形態では３本）の導体３１を収容している。
【００４０】
導体３１は、導電性材料からなり、バスダクト導体２２と略同一の幅及び厚さを有する帯状の板部材によって構成され、遮断器１０を導体３１の延在方向に複数個並べて取り付けることができる長さ寸法を有している。
【００４１】
各導体３１は、特に図５に示すように、各導体３１の側面同士が対向して平行に延在するように、絶縁支持部材である碍子４４によって相互に固定され、バスダクト導体２２の端部間の間隙よりも大きな間隔を有して互いに離間している。
【００４２】
導体３１の幅方向外側の両端部には、遮断器１０の着脱による導体本体の摩耗を防止して導体本体を保護すべく、導体本体よりも耐摩耗性に優れた断面略Ｕ字状の帯導体板３２が導体本体に沿って覆うように嵌め込まれている。
【００４３】
例えば、導体本体は、アルミニウム等の導電性材料からなり、帯導体板３２は、導体本体よりも耐摩耗性に優れた銅等の導電性材料からなる。
【００４４】
帯導体板３２は、リベットやボルト等の固定手段で導体本体に固定してもよいが、図４に示すように、碍子４４で挟んで固定してもよい。
【００４５】
各導体３１の長手方向両端部は、図３及び図６に示すように、３本の導体３１のうち、中央に位置する導体３１−２を間に挟んでその両側に位置する導体３１−１、３１−３が導体３１−２に接近する方向に向かって折曲され、更に、導体３１−２の近傍位置で導体３１−２の長手方向外側に向かってそれぞれ折曲されてクランク状に形成され、３本がバスダクト導体２２の端部間と同一の間隔を有して平行に延在している。３本の導体３１には、バスダクト導体２２の端部に電気的に接続される導体３１の長手方向端部を除き、導体３１同士が近接する部分に絶縁被覆が施されている。
【００４６】
そして、バスダクト導体２２の積層方向と同方向に並列に並ぶように、バスダクト導体２２の端部と突き合わせることによって、各バスダクト導体２２の端部と一直線上になるように形成されている。
【００４７】
分岐ユニット３０のハウジング４０は、バスダクトハウジング２１と略同一の幅及び導体３１が並ぶ方向にバスダクトハウジング２１よりも拡大された略矩形状の断面を有し、導体３１の長手方向に沿って延在する形状を有する。
【００４８】
ハウジング４０は、図５に示すように、一対の側板４１を備えている。側板４１は、平板部４２と、平板部４２の幅方向両端部で折曲されて対峙するフランジ状の折曲部４３、４３とを有し、断面が略コ字形状に形成されている。
【００４９】
一対の側板４１は、導体３１を間に介して平板部４２同士が対向し、一方の側板４１の折曲部４３と他方の側板４１の折曲部４３とが互いに接近する方向に向かって突出しかつ面一となるように配置される。
【００５０】
そして、一対の側板４１の間で、側板４１の平板部４２と導体３１の側面とが対向して平行に延在するように、碍子４４によって導体３１をそれぞれ絶縁支持している。つまり、一対の側板４１と、側板４１、４１間に配置される複数相の導体３１が間に碍子４４を介在してそれぞれが絶縁された状態で一体化されている。
【００５１】
尚、各碍子４４は、側板４１の平板部４２と導体３１の側面との間隔、及び導体３１相互の間隔を全て同一にする寸法であって、折曲部４３の突出幅よりも長い寸法に設定されている。したがって、３本の導体３１は、対峙する側板４１の間で、一方の側板４１の折曲部４３と他方の側板４１の折曲部４３との間の位置に配置される。
【００５２】
一対の側板４１の間でハウジング４０の幅方向に向かって開放された開放部分のうち、側板４１の長手方向両側の部分は、第１蓋板４５によって閉塞される。第１蓋板４５は、図３に示すように、互いに対向する一方の側板４１の折曲部４３と他方の側板４１の折曲部４３との間に架け渡される本体側蓋部４５ａと、本体側蓋部４５ａからハウジング４０の長手方向外側に向かって突出して導体３１の端部を覆う接続側蓋部４５ｂとを有している。
【００５３】
第１蓋板４５により、ハウジング４０には、一方の側板４１の折曲部４３と、他方の側板４１の折曲部４３と、一対の第１蓋板４５とによって囲まれた略矩形で長穴状の開口部４６が形成される。
【００５４】
開口部４６は、ハウジング４０の幅方向両端部にそれぞれ形成されており、各導体３１の幅方向外側の端部に対向して各導体３１の長手方向と同じ方向に導体３１に沿って延在し、各導体３１の幅方向外側の端部を外部に露出させる開口形状を有する。
【００５５】
各開口部４６は、ハウジング４０内の３本の導体３１の間隔よりも広い間隔幅を有してハウジング４０の長手方向一方の第１蓋板４５から他方の第１蓋板４５まで亘って同一平面上に延在し、複数個の遮断器１０をハウジング４０の長手方向に並べて取り付けることができる大きさを有する。
【００５６】
折曲部４３には、遮断器１０を取り付けるための取付部であるネジ孔４７が複数設けられている。ネジ孔４７は、開口部４６の延在方向に沿って所定間隔を有して螺設されており、複数個の遮断器１０を開口部４６が延在する方向に並べて取り付けることができるようになっている。
【００５７】
尚、折曲部４３の長手方向端部近傍のネジ孔４７には、ネジ等の締付具によって第１蓋板４５が固定されている。
【００５８】
遮断器１０は、二次側（ケーブル３側）の負荷が過度に増大した場合に一次側（バスダクトシステム１側）との接続を遮断する、いわゆるブレーカであり、図７に示すように、遮断器本体１１とアダプタ１３を有している。
【００５９】
遮断器本体１１は、ケーブル３の接続端子（図示せず）及び操作スイッチ１２が表面部に設けられ、アダプタ１３が裏面部に設けられている。アダプタ１３は、一方の側板４１の折曲部４３と他方の側板４１の折曲部４３との間に亘る長さ寸法、及び複数個を開口部４６の長手方向に並べて取り付けることができる幅寸法を有している。
【００６０】
アダプタ１３には、アダプタ１３を一方の側板４１の折曲部４３と他方の側板４１の折曲部４３との間に亘って介在させるように各折曲部４３に当接させた際に、ネジ孔４７に連通する貫通孔１４が穿設されており、その貫通孔１４に取付ネジ１５を挿通してネジ孔４７に螺合することにより、アダプタ１３を折曲部４３に着脱自在に固定することができる。
【００６１】
アダプタ１３は、通電容量に応じて遮断器本体１１が選択されて設定されるので、アダプタ１３も遮断器本体１１の大きさに対応したものが選択されるが、アダプタ１３の貫通孔１４は、遮断器１０の容量にかかわらず、少なくとも一つのネジ孔４７、本実施の形態では４つのネジ孔４７に対向するように設けられており、遮断器１０を開口部４６の長手方向に亘る範囲内で任意の位置に取り付けることができる。
【００６２】
アダプタ１３の裏面には、アダプタ１３を折曲部４３に固定した際に、開口部４６を通してハウジング４０内に挿入され、遮断器本体１１とハウジング４０内の導体３１とを電気的に接続するプラグイン部１６が突設されている。
【００６３】
プラグイン部１６は、導体３１の幅方向外側の端部が挿入される凹溝１６ａが先端に設けられており、凹溝１６ａに挿入された導体３１を厚さ方向両側から挟み込み、導体３１と電気的に接続されるクリップ形状を有している。
【００６４】
したがって、アダプタ１３のプラグイン部１６を開口部４６に通し、導体３１の幅方向外側から導体３１の端部に接近させて、電気的に接続することができる。そして、アダプタ１３の貫通孔１４に取付ネジ１５を挿通して、ネジ孔４７に螺合することによって、アダプタ１３をハウジング４０に取り付けることができ、遮断器１０の導体３１への電気的な接続状態を確実に維持することができる。
【００６５】
ハウジング４０の開口部４６のうち、遮断器１０によって閉塞されなかった部分は、閉塞板４８を取り付けることによって閉塞される（図２を参照）。これにより、ハウジング４０の内部と外部とを隔絶し、ハウジング４０の内部に塵埃等が侵入するのを抑制でき、また、導体３１への接触による感電を防止する等の安全性を向上させることができる。
【００６６】
閉塞板４８には、透明な板材、例えば透明なアクリル板が用いられる。閉塞板４８の取り付けは、閉塞板４８に予め穿設された貫通孔４８ａ（図８を参照）にネジを挿通し、そのネジを折曲部４３のネジ孔４７に螺合することによって行われる。
【００６７】
したがって、閉塞板４８を取り付けるために専用のネジ孔をハウジング４０に別途設ける必要がなく、ネジ孔４７を利用することができ、製造工数と部品点数の削減により分岐ユニット３０の低コスト化を図ることができる。
【００６８】
また、閉塞板４８に透明な板材を用いることで、ハウジング４０内を視認することができ、ハウジング４０内における導体３１と遮断器１０との接続状態を閉塞板４８を取り付けた状態ままで確認することができる。
【００６９】
閉塞板４８は、予め工場等で製作してもよいが、適宜の切断位置で切断可能な板材であって、現場で遮断器１０の数や接続位置に応じて適宜の大きさに切断して形成されるのが好ましい。したがって、図８（ａ）に示すように、例えばアクリル板等の切断可能な板材を、適宜の箇所で切断して閉塞板４８を形成してもよい。
【００７０】
また、閉塞板４８は、この例に限らず、例えば図８（ｂ）に示すように、予め板材に所定の間隔（ネジ孔と同じ間隔）で、Ｖ溝やミシン目、スリット等の切断案内部４８ｂを設けて、開口された部分に合う大きさとなるように、適宜の切断案内部４８ｂで切断するようにしてもよい。これによれば、切断作業を容易にすることができ、開口された部分を閉塞する作業を迅速かつ簡単に行うことができる。
【００７１】
導体３１の端部とバスダクト導体２２の端部は、接続部５０によって電気的に接続される。
【００７２】
接続部５０は、図６に示すように、各相ごとに導体３１の端部とバスダクト導体２２の端部とを突き合わせて、突き合わせ部分に接続用導体５１を当接させて、締着具５５で締着する突き合わせ構造を有する。
【００７３】
接続部５０は、互いに突き合わされた導体３１の端部とバスダクト導体２２の端部との両側面にそれぞれ当接される接続用導体５１と、互いに隣り合う異相の接続用導体５１、５１間、及び最外側の接続用導体５１の外側に配設される絶縁セパレータ５２と、絶縁セパレータ５２の最外側に配設される一対のダクト側板継ぎ板５３とを有している。
【００７４】
そして、これら接続用導体５１、絶縁セパレータ５２、ダクト側板継ぎ板５３を貫通するボルト挿通孔に絶縁スリーブ５４を介して締着具５５が挿通されており、この締着具５５を締着することによって、各接続用導体５１の間が狭くなる方向に全体を移動させ、導体３１の端部とバスダクト導体２２の端部と一括緊締し、互いに電気的に接続するように構成されている。
【００７５】
接続部５０は、バスダクト２０を連結していない状態では、導体３１の端部が接続用導体５１間に挟まれ、締着具５５によって仮締着されて仮組みされることで、ユニット化されて分岐ユニット３０が構成されている（図３）。
【００７６】
分岐ユニット３０をバスダクト２０に接続する場合は、接続部５０にバスダクト２０のバスダクト導体２２を差し込み、締着具５５を締着するだけで接続することができ、接続作業を極めて容易に行うことができる。
【００７７】
ダクト側板継ぎ板５３と側板４１の平板部４２との間でハウジング４０の長手方向外側に向かって開放された開放部分には、塞ぎ板４９が取り付けられて塞がれる。塞ぎ板４９は、ダクト側板継ぎ板５３と側板４１の平板部４２との間に亘って延在する大きさを有しており、一方端部がダクト側板継ぎ板５３に沿うように折曲され、他方端部が側板４１の平板部４２に沿うように折曲されて略Ｚ字状を有し、ダクト側板継ぎ板５３及び平板部４２にそれぞれ取付ネジによって固定される。
【００７８】
接続部５０の幅方向に向かって開放された開放部分は、ハウジング４０側が第１蓋板４５の接続側蓋部４５ｂによって閉塞され、バスダクト２０側が第２蓋板５６によって閉塞される。
【００７９】
第２蓋板５６は、バスダクトハウジング２１の端部と第１蓋板４５の接続側蓋部４５ｂとの間に亘って延在する大きさを有しており、接続部５０にバスダクト２０のバスダクト導体２２を接続した状態で、バスダクトハウジング２１の端部及び接続蓋部４５ｂの端部にそれぞれ重ね合わされて取付ネジによって固定される。
【００８０】
上記構成を有する分岐ユニット３０によれば、複数の遮断器１０を、開口部４６が延在する方向に並べて開口部４６に通し、各遮断器１０をハウジング４０内の導体３１に電気的に接続することができる。
【００８１】
また、複数個の遮断器１０が接続可能な分岐ユニット３０を、バスダクト２０同士を接続する接続ユニットとすることができるので、バスダクトシステム１の途中にて簡単に複数の分岐を行うことができる。
【００８２】
それから、遮断器１０を分岐ユニット３０に直接設けることができるので、従来のようにバスダクトにプラグインホールを設けることや、プラグイン器具を別個に用意すること、そして、分電盤を設ける必要がなく、これらを省略することができる。
【００８３】
したがって、バスダクト２０自体の構成を簡単なものにすることができ、部品点数削減による低コスト化を図ることができる。また、従来は必要であった分電盤の設置スペースを省略することができ、その分のスペースの有効活用を図ることができる。
【００８４】
それから、分岐ユニット３０には、ハウジング４０の幅方向両側にそれぞれ開口部４６が形成されているので、各開口部４６に遮断器１０を取り付けることができ、より多くの遮断器１０を取り付けることができ、また、遮断器１０が分岐ユニット３０の導体３１に接続されている状態を、他方の開口部４６側から視認することができる。
【００８５】
また、折曲部４３には、開口部４６に複数個の遮断器１０をハウジング４０の長手方向に並べて取り付けることができるように、複数のネジ孔４７がハウジング４０の長手方向に沿って所定間隔を有して螺設されているので、遮断器１０の取付数が、取付可能最大数よりも少ない場合には、遮断器１０を開口部４６の長手方向に亘る範囲内で任意の位置に取り付けることができ、また、位置変更することができる。したがって、現場の状況に応じた位置に取り付けることができ、高い汎用性を有している。
【００８６】
次に、本発明に係わる第２実施の形態について図９に基づいて以下に説明する。第１実施の形態では、バスダクト２０同士を接続する接続ユニットを分岐ユニット３０とした場合について説明したが、第２実施の形態では、端部ユニットとしてバスダクト２０の終端部に接続される終端ユニットを、分岐ユニット６０とした場合について説明する。
【００８７】
図９は、第２実施の形態を説明する図であり、図９（ａ）は正面図、図９（ｂ）は側面図である。尚、上記実施の形態と同様の構成要素には同一の符号を付することでその詳細な説明を省略する。
【００８８】
分岐ユニット６０は、長手方向一方側にのみ接続部５０を有し、長手方向他方側はエンドクローザ６３によって閉塞される。
【００８９】
導体６１は、第１実施の形態における導体３１とほぼ同様の構成を有するが、３本の導体６１のうち、中央に位置する導体６１を間に挟んでその両側に位置する導体６１は、接続部５０側のみがクランク状に折曲されている（図示せず）。
【００９０】
ハウジング６２も、第１実施の形態におけるハウジング４０とほぼ同様の構成を有するが、ハウジング６２の長手方向一方側の端部にのみ接続部５０が接続され、ハウジング６２の長手方向他方側の端部には、接続部５０の代わりにエンドクローザ６３が設けられている。
【００９１】
エンドクローザ６３は、ハウジング６２の端部に嵌め込むことによって、ハウジング６２の長手方向他方側の開放部分を閉塞するように構成されており、取付ネジによってハウジング６２に固定される。
【００９２】
分岐ユニット６０は、本実施の形態では、接続部５０側（ハウジング６２の長手方向一方側）が下方、エンドクローザ６３側（ハウジング６２の長手方向他方側）が上方となるように垂直に配設されて床支持装置６４によって支持される。そして、床貫通部を貫通して上方に突出するバスダクト２０の上端部に接続される。
【００９３】
床支持装置６４は、床に固定されて接続部５０よりも上方の高さ位置までに延出する床固定部材６４ａと、その床固定部材６４ａの上部に一端が固定され、他端が分岐ユニット６０のハウジング６２に固定されるユニット固定部材６４ｂとを有している。
【００９４】
床支持装置６４の床固定部材６４ａは、接続部５０よりも上方の高さ位置で分岐ユニット６０を支持しているので、接続部５０よりも下方のバスダクト２０に接続部５０を接続する際に、邪魔にならず、接続作業を円滑に行うことができる。
【００９５】
そして、床支持装置６４のユニット固定部材６４ｂは、分岐ユニット６０のハウジング６２に固定されているので、終端ユニットである分岐ユニット６０の荷重が接続部５０に掛かることはなく、接続部５０への過大な荷重負荷を防ぐことができ、分岐ユニット６０をより安定して床に支持することができる。
【００９６】
また、分岐ユニット６０は、振れ止め部材６５に固定されて、吊り下げ支持されている。振れ止め部材６５は、例えば建物の壁面に水平に固定される断面が略コ字状の棒材であり、この振れ止め部材６５にエンドクローザ６３の上面が固定される。したがって、例えば地震等によって建物が振動した場合にも、接続部５０に過大な応力が掛かるのを防ぎ、分岐ユニット６０をより安定して支持することができる。
【００９７】
上記構成を有する分岐ユニット６０によれば、導体６１の長手方向一方側の端部にバスダクト導体２２の端部を電気的に接続した状態でバスダクト２０の端部に取り付けることができる。したがって、複数個の遮断器１０を接続可能な分岐ユニット６０を、バスダクト２０の端部に取り付けられる端部ユニットとすることができ、バスダクトシステム１の端部にて簡単に複数の分岐を行うことができる。
【００９８】
次に、本発明に係わる第３実施の形態について図１０に基づいて以下に説明する。第２実施の形態では、端部ユニットとしてバスダクト２０の終端部に接続される終端ユニットを分岐ユニット６０とし、接続部５０が下方でエンドクローザ６３が上方となるように垂直に配設される場合について説明したが、第３実施の形態では、接続部５０が上方でエンドクローザ６３が下方となるように垂直に配設される場合について説明する。
【００９９】
図１０は、第３実施の形態を説明する図であり、図１０（ａ）は正面図、図１０（ｂ）は側面図である。尚、上記実施の形態と同様の構成要素には同一の符号を付することでその詳細な説明を省略する。
【０１００】
分岐ユニット６０は、本実施の形態では、接続部５０側（ハウジング６２の長手方向一方側）が上方、エンドクローザ６３側（ハウジング６２の長手方向他方側）が下方となるように垂直に配設されて、エンドクローザ６３が床に当接した状態で固定金具６６によって床に固定される。
【０１０１】
固定金具６６は、エンドクローザ６３の荷重を支える必要はなく、固定位置が移動しないように分岐ユニット６０を固定するものであればよいので、固定金具６６の構成を簡単なものにすることができる。
【０１０２】
したがって、第２実施の形態に示すような床支持装置を設ける必要はなく、装置の設置スペースを確保する必要もない。これにより、分岐ユニット６０の接続作業を円滑に行うことができ、また、スペースを有効活用することができ、遮断器１０の接続作業や保守点検等の作業がしやすくなる。
【０１０３】
次に、本発明に係わる第４実施の形態について図１１に基づいて以下に説明する。上記各実施の形態では、分岐ユニット３０、６０が直線状に延在する形状を有する場合を例に説明したが、第４の実施の形態では、分岐ユニット７０が略Ｌ字形状を有する場合について説明する。
【０１０４】
図１１は、第４実施の形態を説明する図である。尚、上記実施の形態と同様の構成要素については同一の符号を付することでその詳細な説明を省略する。
【０１０５】
分岐ユニット７０の導体７１は、その長手方向所定位置（本実施の形態では中央位置）で導体７１の幅方向に延在する折曲線にて折曲されて形成されており、導体７１の幅方向と同一方向から見た場合に略Ｌ字状を有する。
【０１０６】
分岐ユニット７０のハウジング７２は、長手方向所定位置（本実施の形態では中央位置）で幅方向に延在する折曲線にて折曲されて、幅方向と同一方向から見た場合に略Ｌ字状に延在する一対の側板７３を有する。
【０１０７】
側板７３は、平板部７４と、平板部７４の幅方向両端部で折曲されて対峙するフランジ状の折曲部７５、７５とを有し、断面が略コ字状に形成されている。
【０１０８】
一対の側板７３は、導体７１を間に介して平板部７４同士が対向し、一方の側板７３の折曲部７５と他方の側板７３の折曲部７５とが互いに接近する方向に向かって突出しかつ面一となるように配置される。
【０１０９】
そして、一対の側板７３、７３の間で、側板７３の平板部７４と導体７１の側面とが対向して平行に延在するように、碍子４４によって導体７１をそれぞれ絶縁支持している。
【０１１０】
ハウジング７２には、一方の側板７３の折曲部７４と、他方の側板７３の折曲部７４と、一対の第１蓋板４５とによって囲まれた同一平面上で略Ｌ字状に開口する開口部７６が形成される。
【０１１１】
開口部７６は、ハウジング７２の幅方向両端部にそれぞれ形成されている。そして、各開口部７６は、ハウジング７２内の３本の導体７１よりも広い一定幅を有して延在し、複数個の遮断器１０をハウジング７２の長手方向に並べて取り付けることができる大きさを有し、ハウジング７２内の各導体７１における幅方向一方側の端部を外部に露出させている。
【０１１２】
折曲部７５には、遮断器１０を取り付けるための取付部であるネジ孔７７が複数設けられている。ネジ孔７７は、複数個の遮断器１０をハウジング７２の長手方向に並べて取り付けることができるようにハウジング７２の長手方向に沿って所定間隔を有して螺設されている。
【０１１３】
上記構成を有する分岐ユニット７０によれば、バスダクトシステム１の配電ルートに合わせて、分岐ユニット７０を配設することができ、設計の自由度を増加させることができる。
【０１１４】
次に、本発明に係わる第５実施の形態について図１２に基づいて以下に説明する。上記第４実施の形態では、分岐ユニット７０が導体７１の幅方向に延在する折曲線で折曲されて略Ｌ字状に延在する形状を有する場合を例に説明したが、第５実施の形態では、分岐ユニット８０が導体８１の幅方向に折れ曲がり略Ｌ字状に延在する場合について説明する。
【０１１５】
図１２は、第５実施の形態を説明する図である。尚、上記実施の形態と同様の構成要素については同一の符号を付することでその詳細な説明を省略する。
【０１１６】
分岐ユニット８０の導体８１は、その長手方向所定位置（本実施の形態では中央位置）で導体８１の幅方向に折れ曲がり、導体８１の厚さ方向と同一方向から見た場合に略Ｌ字状に延在するように形成されている。
【０１１７】
分岐ユニット８０のハウジング８２は、長手方向所定位置（本実施の形態では中央位置）で幅方向に折れ曲がり、厚さ方向と同一方向から見た場合に略Ｌ字状に延在する一対の側板８３を有する。
【０１１８】
側板８３は、平板部８４と、平板部８４の幅方向両端部で折曲されて対峙するフランジ状の折曲部８５、８５とを有し、断面が略コ字状に形成されている。
【０１１９】
一対の側板８３は、導体８１を間に介して平板部８４同士が対向し、一方の側板８３の折曲部８５と他方の側板８３の折曲部８５とが互いに接近する方向に向かって突出するように配置される。
【０１２０】
そして、一対の側板８３、８３の間で、側板８３の平板部８４と導体８１の側面とが対向して平行に延在するように、碍子４４によって導体８１をそれぞれ絶縁支持している。
【０１２１】
ハウジング８２には、一方の側板８３の折曲部８４と、他方の側板８３の折曲部８４と、一対の第１蓋板４５とによって囲まれた開口部８６が形成される。
【０１２２】
開口部８６は、ハウジング８２の幅方向両端部にそれぞれ形成されており、導体８１の厚さ方向と同一方向から見た場合に略Ｌ字状の内側と外側の両側に開口している。
【０１２３】
そして、各開口部８６は、ハウジング８２内の３本の導体８１よりも広い一定幅を有して延在し、複数個の遮断器１０をハウジング８２の長手方向に並べて取り付けることができる大きさを有し、ハウジング８２内の各導体８１における幅方向一方側の端部を外部に露出させている。
【０１２４】
折曲部８５には、遮断器１０を取り付けるための取付部であるネジ孔（図示せず）が複数設けられている。ネジ孔は、複数個の遮断器１０をハウジング８２の長手方向に並べて取り付けることができるようにハウジング７２の長手方向に沿って所定間隔を有して螺設されている。
【０１２５】
上記構成を有する分岐ユニット８０によれば、バスダクトシステム１の配電ルートに合わせて、分岐ユニット８０を配設することができ、設計の自由度を増加させることができる。
【０１２６】
尚、本発明は、上記実施の形態に限定されるものではなく、本発明の趣旨を逸脱しない範囲内で種々の変更が可能である。
【０１２７】
例えば、上記各実施の形態では、バスダクト導体２２と導体３１、７１、８１とが同一幅を有する場合について説明したが、幅が異なる場合でもよい。図１３は、分岐ユニット３０の導体３１とバスダクト２０のバスダクト導体２２との幅が異なる場合を示す説明図である。図１３に示すように分岐ユニット３０の導体３１とバスダクト２０のバスダクト導体２２との幅が異なる場合には、第１蓋板４５に固定される第２蓋板５７が、接続部５０に沿って接続されたバスダクト２０に沿って段状に形成され、この第２蓋板５７とバスダクトハウジング２１との間に亘って第３蓋板５８が延在して両端部が固定される。
【０１２８】
また、上記各実施の形態では、接続部５０が直線状である場合を例に説明したが、略Ｌ字状を有するものであってもよい。図１４は、略Ｌ字状に延在する接続部の一例を示す図である。接続部５０は、図１４に示すように、略Ｌ字状に折曲形成された複数本の中間導体５９の両端部に、接続用導体５１、絶縁セパレータ５２、一対のダクト側板継ぎ板５３を締着具５５により締着する締着部分を各々設けることによって構成されている。
【０１２９】
更に、上記各実施の形態では、バスダクトシステム１に１箇所だけ分岐ユニット３０、６０、７０、８０を設けた場合について説明したが、これに限るものではなく、複数階のフロアＦを有する建物の床等を貫通してバスダクトシステム１が配設され、分電する必要がある階では、図１５に示す様に、接続ユニットとしての分岐ユニット３０、７０、８０や、端部ユニットとしての分岐ユニット６０を配設することが可能である。このように構成することで、各階に分岐ユニット３０、６０、７０、８０が配置されるので、各階においてプラグイン器具や分電盤を省略することが可能である。
【０１３０】
また、上記第２実施の形態及び第３実施の形態では、分岐ユニット７０、８０が、端部ユニットとしての終端ユニットである場合について説明したが、これに限るものではない。つまり、バスダクトシステム１の終端に終端ユニットとして分岐ユニット７０、８０を接続した場合について説明したが、バスダクトシステム１の始端に分岐ユニット９０を接続した場合であってもよい。例えば、分岐ユニット９０は、図１６に示すように、導体９１の長さ方向の一方側に接続部５０が設けられ、導体９１の長さ方向の他方側にはケーブルを直接接続するための接続端子９２が設けられた構成を有する。
【０１３１】
また、端部ユニットの変形例として、ケーブル３とバスダクト２０とを接続する分岐ユニット３０を図１７に示す。分岐ユニット３０は、長手方向両端部に接続部５０を備えており、一方には、バスダクト２０のバスダクト導体２２が接続され、他方には、ケーブル接続導体９６が接続される。そして、このケーブル接続導体９６を覆うケーシング９７が、接続部５０のダクト側板継ぎ板５３に固定されている。
【０１３２】
また、上記実施の形態では、分岐ユニット３０の導体３１とバスダクト２０のバスダクト導体２２とを突き合わせて接続部５０によって接続する突き合わせ構造とした場合について説明したが、これに限定するものではなく、例えば、バスダクト導体２２及び導体３１を重ね合わせ、複数相を締着具で一括締着する重ね合わせ構造とした場合であってもよい。
【０１３３】
また、上記実施の形態では、分岐ユニット３０、７０、８０を垂直配置とした場合について説明したが、これに限定されるものではなく、例えば水平配置した場合についても適用できる。
【０１３４】
また、上記各実施の形態では、開口部４６、７６、８６を、ハウジング４０、７２、８２の導体３１、７１、８１の幅方向両側に設けた場合について説明したが、これに限るものではなく、開口部を、ハウジングの導体幅方向一方側に設けた場合であってもよい。この場合、開口部に対向する側の開放部分は、閉塞板で全面が閉塞されていてもよいし、閉塞板が側板４１、７３、８３に一体に形成されていてもよい。
【０１３５】
また、上記第４、第５実施の形態では、分岐ユニット７０、８０が、両端に接続部５０を有する接続ユニットの場合について説明したが、これに限るものではなく、分岐ユニット７０、８０が、導体７１、８１の長手方向の一方側に接続部５０を有すると共に、他方側がカバーされる端部ユニットであってもよい。
【０１３６】
また、上記第４、第５実施の形態では、分岐ユニット７０、８０が、略Ｌ字状に形成された場合について説明したが、これに限るものではなく、略Ｚ字状に形成されたものであってもよい。
【０１３７】
また、上記実施の形態では、分岐ユニット３０、７０、８０のハウジング４０、７２、８２に遮断器１０を取り付けるための取付部がネジ孔４７、７７である場合について説明したが、これに限るものではなく、遮断器１０を固定できる構成であればよく、例えば、遮断器１０を引っ掛けて固定できるように構成したり、クリップ状に形成して遮断器１０を取付固定できるようにしてもよい。
【０１３８】
また、上記実施の形態では、取付部に遮断器１０を固定できる構造としたが、遮断器１０が脱落しない場合は取付部に固定しなくてもよく、取付部を省略してもよい。
【０１３９】
また、上記実施の形態では、導体が所定幅を有して延在する帯板形状を有する場合について説明したが、この形状のみに限定するものではなく、例えば、棒状導体等、複数の遮断器を接続できる形状であればいかなる形状でもよい。
【０１４０】
また、上記実施の形態では、導体が３本の場合について説明したが、これに限るものではなく、２本や４本以上等、複数本の場合について適用可能であることは云うまでもない。
【０１４１】
また、上記実施の形態では、導体が導体本体と帯導体板とを有する場合について説明したが、帯導体板を省略してもよい。
【図面の簡単な説明】
【０１４２】
【図１】第１実施の形態に係わる分岐ユニットを有するバスダクトシステムを示す図である。
【図２】図１の分岐ユニットに遮断器を接続した状態を示す図である。
【図３】分岐ユニットの正面図である。
【図４】分岐ユニットの側面図である。
【図５】図１のＩ−Ｉ線断面図である。
【図６】分岐ユニットとバスダクトとの接続部分を拡大して説明する分解図である。
【図７】図２のＩＩ−ＩＩ線断面図である。
【図８】閉塞板を示す図である。
【図９】第２実施の形態を説明する図であ
【図１０】第３実施の形態を説明する図である。
【図１１】第４実施の形態を説明する図である。
【図１２】第５実施の形態を説明する図である。
【図１３】導体とバスダクト導体との幅が異なる場合を示す説明図である。
【図１４】略Ｌ字状に延在する接続部の一例を示す図である。
【図１５】分岐ユニットの配設例を説明する図である。
【図１６】分岐ユニットを始端ユニットとした例を説明する図である。
【図１７】端部ユニットの変形例を示す図である。
【符号の説明】
【０１４３】
１  バスダクトシステム
１０  遮断器
２０  バスダクト
３０、６０、７０、８０、９０  分岐ユニット
３１、６１、７１、８１、９１  導体
４０、６２、７２、８２  ハウジング
４６、７６、８６  開口部
４７  ネジ孔（取付部）
５０  接続部
【図１】
2008141909.tif 000003
【図２】
2008141909.tif 000004
【図３】
2008141909.tif 000005
【図４】
2008141909.tif 000006
【図５】
2008141909.tif 000007
【図６】
2008141909.tif 000008
【図７】
2008141909.tif 000009
【図８】
2008141909.tif 000010
【図９】
2008141909.tif 000011
【図１０】
2008141909.tif 000012
【図１１】
2008141909.tif 000013
【図１２】
2008141909.tif 000014
【図１３】
2008141909.tif 000015
【図１４】
2008141909.tif 000016
【図１５】
2008141909.tif 000017
【図１６】
2008141909.tif 000018
【図１７】
2008141909.tif 000019